(57)【要約】      （修正有）【課題】盗聴器や盗撮器までの距離、方向を判別して表示させる事により盗聴器や盗撮器を発見する事ができる検知器を提供する。【解決手段】本検知器周辺に仕掛けられている盗聴器や盗撮器が発する電波の周波数を全て受信し、受信した電波をもとに、それぞれの電波強度を算定し、受信した実際の周波数値と、その周波数が盗聴器なのか盗撮器なのかの種類と、電波を受信した方向と、仕掛けられている盗聴器や盗撮器までの距離を表示する手段と、使用者がさらに詳細を調べたい場合に、表示された盗聴器や盗撮器の一覧より周波数を選択することができ選択された周波数に対し、盗聴器が受信した音声または盗撮器が受信する映像を本検知器に出力させるチューニング機能と、前記チューニング機能は本検知器を使っての悪用防止の為に、他人に対して仕掛けられている盗聴器や盗撮器の音声または映像を出力させない為の制御手段を有する。【選択図】図７
2010244497.tif 000002
【特許請求の範囲】
【請求項１】
受信方向がスキャン可能なアンテナと、前記アンテナに接続された受信器と、受信器より最大の出力が得られた時の上記アンテナの受信方向から受信した信号源の方向を検知する手段と、市場に存在する盗聴／盗撮器の発信周波数を蓄積した周波数データベースと、前記受信器から得られた出力の周波数を前記周波数データベースと比較し、一致したもののみを盗聴／盗撮器の発する信号と判断する判定手段と、前記判定手段により盗聴／盗撮器のものと判定された受信信号のみをその方向とともに個別に表示する手段を備えた検知器。
【請求項２】
前記受信器より最大の出力が得られた電波の受信強度をもとに、盗聴／盗撮器までの距離を算出し、受信信号とともに表示することを特徴とする請求項１記載の検知器。
【請求項３】
前記距離が所定値以下の時に限り盗撮音声を音声出力装置によりスピーカーに出力させるか又は盗撮映像を映像出力装置により出力することを特徴とする請求項１もしくは２記載の検知器。
【請求項４】
前記周波数データベースは最新周波数データをダウンロードする機能を有する事を特徴とする請求項１〜３記載の検知器。
【発明の詳細な説明】
【技術分野】
【０００１】本発明は、仕掛けられた盗聴器や盗撮器を検知する為の検知器に関するものである。
【背景技術】
【０００２】近年の盗聴器や盗撮器を使った犯罪が急増している。【０００３】特に、女性をターゲットにして盗聴器や盗撮器を設置し、本人の知らないうちに映像を取得しそれを売買したり又はインターネットを利用し放映するという犯罪が多発している。
被害を被った女性は一生涯心に傷を負う事になる。こう言った卑劣な犯罪は撲滅していかなければならない。【０００４】前記犯罪に遭遇しない様、女性にもそう言った現状にさらされていると言う事を常に「意識」して頂く必要がある。その手段として、盗聴器や盗撮器を検知する検知器を携帯し、必要に応じてチェックを行う事が望ましい。【０００５】しかし、現状では企業向けの検知ロボットやフィットネスクラブにおいて施設に盗聴器や盗撮器を持ち込まれた時点で、フィットネスクラブ等に携帯電話やメールで知らせると言ったシステムの導入をしている所もあるがコストが高く，ごく一部の施設に限られている。【０００６】個人向けに作られた検知器では、コストの安い物は盗聴器や盗撮器以外の電波を検知する事があり逆に使用者を混乱させてしまう状況を作ってしまう問題がある。【０００７】少し高価な物になると映像処理で使用者に知らせるといった物もある。これは盗撮映像からカメラの設置場所が分かるように構成されているが、盗聴器の場合は方向や距離が判断できず、受信電波の検知範囲の設定が無い為、受信した電波の映像がすべて映し出され、他人を対象にした盗撮映像が見られることになるため、逆に悪用される可能性があると言う問題点がある。
【発明の開示】
【発明が解決しようとする課題】
【０００８】本発明は、このような問題点を解決する為に提案されたものであり、盗聴器や盗撮器の発する電波のみを検知可能にするとともに、盗聴器や盗撮器までの距離、方向を判別して表示させる事により盗聴器や盗撮器を容易に発見する事ができる検知器を提供しようとするものである。
【課題を解決しようとする手段】
【０００９】前記した目的を達成するための本発明は、受信方向がスキャン可能なアンテナと、前記アンテナに接続された受信器と、受信器より最大の出力が得られた時の上記アンテナの位置から受信した信号源の方向を検知する手段と、市場に存在する盗聴／盗撮器の発信周波数を蓄積した周波数データベースと、前記受信器から得られた出力の周波数を前記周波数データベースと比較し、一致したもののみを盗聴／盗撮器の発する信号と判断する判定手段と、前記判定手段により盗聴／盗撮器のものと判定された受信信号のみをその方向とともに個別に表示する手段を設けたものである。
【発明の効果】
【００１０】仕掛けられた盗聴器や盗撮器が発する周波数だけを正確に検知し誤動作を防ぐとともに、検知した周波数の距離と方向を示す事で確実かつ容易に設置場所を発見する事ができるようになる。
【発明を実施するための最良の形態】
【００１１】以下、本発明の具体例における検知器のケースの外観を図１〜図５を用いて詳細に説明する。【００１２】図１は本検知器の平面図であり、１は上ケース部カバー、２は左オープンローラー、３は上下固定ロール、４は右オープンローラーとなっている。【００１３】図２は本検知器の底面図であり、５は下ケース部、６はスライド式電池カバーとなっている。【００１４】図３は本検知器の正面図であり、７は上ケース部、８はオープン開口で本検知器を開ける時に指をかける為の開口となっている。【００１５】以下、本発明の具体例における検知器の構造を図６、図７を用いて詳細に説明する。
図６は本検知器の開いた時の図であり、９は電源ボタンで本検知器の電源のＯＮ・ＯＦＦを行うものである。【００１６】１０は検索ボタンで本検知器の周辺に盗聴器・盗撮器ＳＳが仕掛けられていないかの検知動作を開始させる為のものである。【００１７】１１は撃退ボタンで、この撃退ボタン１１を押す事により高音量の警報音を発生させ、危険な状況を周囲に知らせるためのものである。【００１８】１２は決定ボタンで検索ボタン１０を押下後、検知した電波の周波数が一覧表で表示され、その一覧表に表示された内容を選択し決定するためのものである。【００１９】１３−１、１３−２、１３−３は受信電波設定ボタンで電源を入れた直後に検知範囲を設定するボタンであり検知する範囲をそれぞれで弱：本検知器より半径１０ｍ未満、中：本検知器より半径３０ｍ未満、強：本検知器より半径１００ｍ以下の設定を行うためのものである。【００２０】１４−１〜１４−１６は電波発信方向ライトであり、どのライトが点灯するかによって検知電波の方向を示すものである。【００２１】１５は上スクロールボタン、１６は下スクロールボタンで、受信検知した電波が複数存在するとき、表示された複数の電波の内の１つを選択するためのものである。【００２２】１７は一覧ボタンであり、後述する表示画面を検知周波数一覧表に戻すためのものである。【００２３】１８はＵＳＢ接続口であり、ＵＳＢコネクターを差込み、パソコン（図示せず）と繋ぎＷｅｂ上で管理された本検知器の基本データベースの最新データをダウンロードする為のものである。【００２４】１９−１、１９−２、１９−３、１９−４、１９−５は盗聴表示ライトであり、検知器より距離が半径１０ｍ未満の時は５個全てのライトを点灯し、１０ｍ以上３０ｍ未満の時は盗聴表示ライト１９−１、１９−２、１９−３の３個を点灯し、３０ｍ以上の時は盗聴表示ライト１９−１のみを点灯させ盗聴器がどの程度近くに仕掛けられているかその危険性を使用者に知らせるものである。【００２５】２０−１、２０−２、２０−３、２０−４、２０−５は盗撮表示ライトであり、検知器より距離が半径１０ｍ未満の時は５個全てのライトを点灯し、１０ｍ以上３０ｍ未満の時は盗撮表示ライト２０−１、２０−２、２０−３の３個を点灯し、３０ｍ以上の時は盗撮表示ライト２０−１のみを点灯させ盗撮器がどの程度近くに仕掛けられているかその危険性を使用者に知らせるものである。【００２６】２１はスピーカー口であり、警報アラームや盗聴器が拾う音声を出力するものである。【００２７】２２はモニター画面であり、検知された周波数の一覧表や盗撮器が映し出す映像を出力するものである。【００２８】図８は本検知器の制御図であり、仮に盗聴器・盗撮ＳＳが仕掛けられた事を前提としたもので詳細に説明する。【００２９】Ｓ１はフェーズドアレイアンテナであり、制御パラメータによって電波の受信方向を変える事ができるものである。【００３０】Ｓ２は受信器であり、フェーズドアレイアンテナＳ１と接続されておりフェーズドアレイアンテナＳ１が受信した盗聴器・盗撮器ＳＳから発する電波の周波数と受信強度を出力するものである。【００３１】Ｓ３は制御装置であり、電波を受信する方向をコントロールする制御パラメータをフェーズドアレイアンテナＳ１に送信し、フェーズドアレイアンテナＳ１の受信方向を決定し受信スタンバイ状態にするものである。【００３２】Ｓ４は周波数データベースであり、市販されている盗聴器・盗撮器ＳＳが発する周波数をデジタル化したデータとともにその周波数が盗聴器の発するものか盗撮器が発するものかを区分する為のデータ（１：盗聴器、２：盗撮器）を格納したものであり、盗聴器・盗撮器ＳＳ以外の装置が発する電波を拾わない為の基本データベースである。
また、基本データベースとなるもとをＷｅｂ上で管理しており、新たな盗聴器・盗撮器ＳＳが発する電波を発見した際に基本データベースに管理者が更新をかけ使用者は本検知器のＵＳＢ口１８にＵＳＢコネクターを接続しパソコン（図示せず）と連結しＷｅｂ上で管理されている基本データベースをダウンロードする事で常に最新状態に保つ様に構成されている。【００３３】Ｓ５は受信周波数累積システムであり、受信器Ｓ２から出力する周波数と受信強度を受け取り、出力された周波数をデジタルデータに変換しデジタルデータが周波数データベースＳ４に存在する場合は盗聴器・盗撮器ＳＳが発する電波であると判定し、存在しない場合は盗聴器・盗撮器ＳＳ以外の装置が発する電波と認識し、その電波は対象外とする。【００３４】上記処理で受信した電波の周波数が盗聴器・盗撮器ＳＳが発するデータと判定された場合は上記、受信周波数累積システムＳ５が管理する領域に周波数別のテーブル（検知周波数・受信電波の強度・周波数の種類・受信電波の方向・盗聴器・盗撮器ＳＳまでの距離）を作成する。【００３５】上記処理で盗聴器・盗撮器ＳＳ以外の装置が発する電波と認識した場合は対象外とし上記処理は行わない。【００３６】上記処理終了後、電波を受信する方向をずらすように制御パラメータに更新を行い、更新した内容で制御装置Ｓ３が受信開始命令を発し、再度設定された位置で電波の受信を行う。【００３７】上記の繰り返し処理の中で新たに検知した電波の周波数と記憶されている周波数を比較しテーブル内に同一周波数が存在する場合は新たに検知した電波の受信強度とテーブル内に記憶されている同一周波数の電波受信強度を比較し、新しく検知した電波の受信強度が大きい場合はテーブル内の受信強度に上書きを行う。この時に、新たに検知した受信電波の方向と距離のデータを取得し、テーブル内にある同一周波数の受信電波に関する電波源までの距離を新しい周波数に関するデータで上書きを行う。上記処理と全ての方向の電波検知が終了するまで繰りかえす事で周波数毎に受信強度が最大となった電波の周波数の情報が最終的にテーブルに残る仕組みである。【００３８】上記処理終了後に、周波数累積システムＳ５によって周波数の異なる受信電波の情報だけが情報記憶装置Ｓ６に出力されることになる。【００３９】Ｓ６は情報記憶装置であり、受信周波数累積システムＳ５が出力する検知周波数・受信電波の強度・周波数の種類・受信電波の方向・電波源までの距離を周波数単位に複数のレコードを記憶する事ができる。【００４０】情報記憶装置Ｓ６に出力される検知周波数とは、検知した実際の周波数値である。【００４１】情報記憶装置Ｓ６に出力される受信電波の強度とは検知した電波が最大値となった時の値である。【００４２】情報記憶装置Ｓ６に出力される周波数の種類とは、周波数を基に盗聴器から発する周波数か盗撮器から発する周波数かを判別しフラグである１：盗聴器、２：盗撮器の意味を持たせたものである。【００４３】情報記憶装置Ｓ６に出力される受信電波の方向とは受信周波数毎に受信強度が最大となった電波の方向を電波発信方向番号に変換した番号である。この番号が電波発信方向ライト１４−１〜１４−１６の番号にリンクさせてあり、変換された番号と同一番号の電波発信方向ライト１４−１〜１４−１６が点灯し、周波数毎に受信した電波の方向を使用者に知らせるための情報である。【００４４】情報記憶装置Ｓ６に出力される盗聴器・盗撮器ＳＳまでの距離とは、盗聴器・盗撮器ＳＳまでの距離をｍ単位で示すデータであり、上記の受信電波の方向と盗聴器・盗撮器ＳＳまでの距離を参照する事により盗聴器・盗撮器ＳＳの仕掛けられている場所を使用者に知らせるための情報である。【００４５】Ｓ７は入力指示記憶装置であり、使用者が設定又は指示したデータを記憶する装置であり、記憶するデータとしては受信電波設定ボタン１３−１（本検知器より半径１０ｍ未満）、１３−２（本検知器より半径３０ｍ未満）、１３−３（本検知器より半径１００ｍ以下）の何れの検知範囲を設定したかを示すデータと、決定ボタン１２、上スクロールボタン１５、下スクロールボタン１６、一覧ボタン１７を押下した場合に、どのボタンが押されたかを記憶するものである。【００４６】Ｓ８は累積データ出力システムであり、情報記憶装置Ｓ６に出力されたデータを読込み、読込んだデータの距離と入力指示記憶装置Ｓ７で設定されている範囲を比較し対象となるデータの絞込みを行い対象となる受信電波の情報を検知周波数・種類・方向指示ランプ・距離をセットとして検知周波数一覧としてモニター画面２２に出力し、使用者に盗聴器・盗撮器ＳＳの存在を認識させるものである。表示される一覧の内容は情報記憶装置Ｓ６の距離のデータをＫＥＹとし内部ソート（昇順）を行う。この機能は仕掛けられた盗聴器・盗撮器ＳＳの距離が近い程、使用者に対して危険性が高いので優先順位をつけている。【００４７】対象となる周波数が０件の場合はモニター画面２２に『検知範囲は安全です』と表示する。【００４８】対象となる周波数が２件以上の場合はモニター画面２２に図８に示す一覧表のように全ての周波数の検知周波数・種類・方向指示ランプ・距離を表示する。【００４９】対象となる周波数が１件の場合はモニター画面２２に対象周波数１件の検知周波数・種類・方向指示ランプ・距離を表示する。【００５０】上記処理にて対象となる周波数が１件以上の場合は、同時にモニター画面２２に表示されている選択Ｎｏ．の１件目をブリンクさせて選択Ｎｏ．の初期値として表示させる。【００５１】また、モニター画面２２に複数の受信電波情報が表示されている場合、使用者がその中の１つを選択する事ができ、盗聴器の電波を選択した場合は選択された盗聴器の周波数と同一の周波数に受信器Ｓ２の受信周波数をチューニングし、盗聴器が拾う音声を出力し使用者に伝える機能があり使用者の身近に盗聴器が仕掛けられていれば使用者の声等が出力され盗聴器の存在を明らかにする機能と、盗聴器の電波を選択した場合は選択された盗撮器の周波数と同一の周波数の電波にチューニングし、盗撮器が拾う映像を出力し使用者に伝える機能があり使用者の身近に盗撮器が仕掛けられていれば使用者の周りの映像が出力され盗撮器の存在を明らかにする機能をもつものである。【００５２】また、上記機能は他人向けに仕掛けられている盗聴器・盗撮器ＳＳに関してもスキャン可能である為、逆に本検知器を使用し悪用されてしまう事を防ぐ為に本体より１０ｍ未満の周波数を選択した場合に限り使用できるといった制限機能をもたせたものである。【００５３】Ｓ９は盗聴盗撮識別装置であり、累積データ出力システムＳ８によって、最も身近に仕掛けられている盗聴器・盗撮器ＳＳが盗聴器なのか盗撮器なのかを情報記憶装置Ｓ６が記憶するフラグ（１：盗聴器、２：盗撮器）によって判定し、盗聴器の場合は本検知器から半径１０ｍ未満の場合、盗聴表示ライト１９−１〜１９−５の全てを点灯させ、１０ｍ以上半径３０ｍ未満の場合、盗聴表示ライト１９−１〜１９−３の３個を点灯させ、半径３０ｍ以上の場合、盗聴表示ライト１９−１のみを点灯させる指示に従いそれぞれの盗聴表示ライト１９−１〜１９−５を点灯させる。また、盗撮器の場合は、本検知器から半径１０ｍ未満の場合、盗撮表示ライト２０−１〜２０−５の全てを点灯させ、半径１０ｍ以上３０ｍ未満の場合、盗撮表示ライト２０−１〜２０−３の３個を点灯させ、半径３０ｍ以上の場合、盗撮表示ライト２０−１のみを点灯させるといった指示に従いそれぞれを点灯させるものである。【００５４】Ｓ１０は検知方向指示装置であり、累積データ出力システムＳ８が検知周波数一覧をモニター画面２２に出力すると同時にモニター画面２２に表示された図８に示す受信電波情報の内の１つである方向指示ランプの項に表示されているランプの番号と同じ番号の検知方向指示ライト２０−１〜２０−１６を発光させるものであり、点灯した位置で使用者に検知した周波数の電波の方向を知らせるものである。【００５５】Ｓ１１はオートスキャン装置であり、前述のように累積データ出力システムＳ８の処理後に検知周波数一覧がモニター画面２２に表示され、その情報を基に使用者が表示された周波数を選択した時に、前記の受信器Ｓ２の受信周波数を選ばれた周波数に一致するようにチューニングを行うものである。【００５６】Ｓ１２は映像出力装置であり、オートスキャン装置Ｓ１１によるチューニング動作によりモニター画面２２に盗撮されている盗撮映像を出力するものである。【００５７】Ｓ１３は音声出力装置であり、オートスキャン装置Ｓ１１によるチューニングが行われた状態で盗聴音声を増幅し音声をスピーカー口２１に出力するものである。【００５８】Ｓ１４はＵＳＢ端子であり、周波数データベースＳ４を常に最新の状態を保つ手段として最新周波数データをパソコンからＵＳＢを使ってダウンロードし更新ができるものである。【００５９】以下、本検知器の動作を詳細に説明する。【００６０】本体をオープン開口８より開き、電源ボタン９をＯＮにする。
この時点でモニター画面２２に現在の受信電波設定値「弱」本検知器より半径１０ｍ未満と言う初期値が設定されている事が表示される。【００６１】受信電波設定値は使用者が検知したい盗聴器・盗撮器ＳＳの設置位置の範囲を指定する為のものであり、初期値のままで構わない場合は受信電波設定ボタン１３−１、１３−２、１３−３のいずれも操作せず、初期値を変更したい場合は受信電波設定ボタン１３−２（本検知器より半径３０ｍ未満）又は、受信電波設定ボタン１３−３（本検知器より半径１００ｍ未満）を使用者が選択する。選択した内容に基づいて入力指示記憶装置Ｓ７に受信電波設定内容が記憶される。設定後に検索ボタン１０を押下すると設定された範囲の盗聴器・盗撮器ＳＳの検知が開始される。【００６２】検索ボタン１０を押下すると受信周波数累計システムＳ５が起動し、初期処理で制御装置Ｓ３の制御パラメータの内容を初期値（受信開始０地点）に更新を行い、更新されたパラメータを受け取った制御装置Ｓ３は制御パラメータの内容に基づきフェーズドアレイアンテナＳ１に電波受信方向の指示を行う。
この時点でフェーズドアレイアンテナＳ１は電波を受信する方向が決まりスタンバイ状態になり、次に受信周波数累計システムＳ５は受信器Ｓ２に受信命令を発行する。
受信命令を受けた受信機Ｓ２は電波の受信を行い、もし受信した場合は受信した電波の周波数と電波強度情報を受信周波数累計システムＳ５へ出力を行う。【００６３】上記処理で受信器Ｓ２より出力された電波の周波数と電波強度を受信周波数累計システムＳ５が受け取り周波数をデジタルデータに変換を行い変換されたデータと周波数データベースＳ４内のデータを比較し、デジタルデータが周波数データベースＳ４に存在する場合を盗聴器・盗撮器ＳＳから発する周波数であると判定する。【００６４】上記処理で受信された電波の周波数が盗聴器・盗撮器ＳＳが発する電波の周波数であると判定された場合は受信周波数累計システムＳ５内の記憶領域に周波数別テーブル（検知周波数・受信電波の強度・周波数の種類・受信電波の方向・盗聴器・盗撮器ＳＳまでの距離）を作成し、作成されたテーブルに確定したデジタル変換を行った周波数と受信電波強度と読み込まれている周波数データベースＳ４が持つ周波数種別（１：盗聴器、２：盗撮器）と制御装置Ｓ３に更新をかけているパラメータの内容を基に現在の電波を受信している方向に対応する電波発信方向ライト１４−１〜１４−１６の何れかを示した番号に対応する変換した番号と、受信強度を基に盗聴器・盗撮器ＳＳまでの距離をビット変換し、そのデータより距離に変換した内容をテーブルの１件目に記憶する。【００６５】受信した周波数が盗聴器・盗撮器ＳＳが発するものではないと判定された場合は処理対象外として上記処理は行わない。【００６６】受信器Ｓ２からの出力が得られなかった場合も上記同様に処理を行わない。【００６７】次に受信周波数累計システムＳ５は制御パラメータの内容を初期値（受信開始０地点）から受信方向をずらすように制御パラメータに更新をかける。更新後、制御装置Ｓ３は更新された制御パラメータに基づきフェーズドアレイアンテナＳ１の電波受信方向を変更し、フェーズドアレイアンテナＳ１は方向を変更された状態でスタンバイ状態となる。
次に受信周波数累計システムＳ５は受信器Ｓ２に受信命令を発行し受信機Ｓ２は受信した電波の周波数と電波強度情報を受信周波数累計システムＳ５へ出力を行う。【００６８】上記処理で受信器Ｓ２より出力があれば出力された周波数と電波強度を受信周波数累計システムＳ５が受け取り周波数をデジタルデータに変換を行い変換されたデータと周波数データベースＳ４を比較し、デジタルデータが周波数データベースＳ４に存在する場合を盗聴器・盗撮器ＳＳから発する周波数だと判定する。【００６９】受信された電波の周波数が盗聴器・盗撮器ＳＳから発する電波の周波数であると判定された場合は、前記処理で作成された周波数別テーブルの内容と新たに検知した電波の周波数の比較を行い、同一周波数の場合は新たに検知した受信強度とテーブル内に記憶されている受信強度を比較し、新しく検知した周波数の受信強度の方が大きい場合はテーブル内の受信電波の強度、受信電波の方向、盗聴器・盗撮器ＳＳまでの距離のデータを全て上書きし、同一周波数がテーブルに存在しない場合は、テーブルカウントを上げ新たに受信した電波の情報を前記、周波数の情報を記憶した際と同様の処理で新たに受信した電波の周波数の情報を記憶する。【００７０】これらの処理を受信周波数累計システムＳ５が更新する制御パラメータの内容が最終値に達する（受信終了地点）まで処理を繰返し、終了した時点で累積された周波数別のテーブル情報を全て情報記憶装置Ｓ６に出力を行う。【００７１】情報記憶装置Ｓ６のデータを基に累積データ出力システムＳ８が読み込み、読み込んだデータの距離をＫＥＹとして内部ソートを行い、距離の近い順にデータの並べ替えを行い図８に例示するように選択Ｎｏ．を付番し、付番した選択Ｎｏ．、実際に検知した周波数を検知周波数、その周波数が盗聴器又は盗撮器のどちらの周波数かの種類、その周波数を受信した方向を示す方向指示ランプの番号、盗聴器・盗撮器ＳＳまでの距離を周波数の一覧表（以下、『検知周波数一覧表』と言う）としてモニター画面２２に表示し使用者に知らせる。【００７２】上記処理でモニター画面２２に方向指示ランプの番号が出力されると同時に、検知周波数一覧表に表示されている方向指示ランプの番号と同一番号の電波発信方向ライト１４−１〜１４−１６が点灯しそれぞれの検知した周波数の方向を使用者に知らせると同時に、最も身近に仕掛けられている盗聴器・盗撮器ＳＳ（選択Ｎｏ．が００１）の周波数が盗聴器が発する周波数の場合には、その距離が１０ｍ未満の時は盗聴表示ライト１９−１〜１９−５の全てを点灯させ、１０ｍ以上３０ｍ未満の時は、盗聴表示ライト１９−１と１９−２と１９−３の３個のライトを点灯させ、３０ｍ以上の時は盗聴表示ライト１９−１のみ灯させて使用者にライトの点灯数で盗聴の危険性の度合いを認識させる。【００７３】また受信した周波数が盗撮器が発する周波数の場合は、その距離が１０ｍ未満の時は盗撮表示ライト２０−１〜２０−５の全てを点灯させ、１０ｍ以上３０ｍ未満の時は、盗撮表示ライト２０−１と２０−２と２０−３の３個のライトを点灯させ、３０ｍ以上の時は盗撮表示ライト２０−１のみを点灯させて使用者にライトの点灯数で盗撮の危険性の度合いを認識させる。【００７４】対象となる周波数が０件の場合は『検知範囲は安全なエリアです』とモニター画面１５に表示される。【００７５】対象となる周波数が１件の場合は１件の情報（選択Ｎｏ．、検知周波数、種類・方向指示ランプ、距離）がモニター画面２２に表示される。【００７６】対象となる周波数が複数の場合は全ての情報（選択Ｎｏ．、検知周波数、種類・方向指示ランプ、距離）がモニター画面２２に表示される。【００７７】上記モニター画面２２に表示される選択Ｎｏ．は、００１から連番で付番される。【００７８】上記モニター画面２２に表示される検知周波数は、実際に検知した周波数が表示される。【００７９】上記モニター画面２２に表示される受信電波情報は、図８に示すように検知した周波数が盗聴器から発する周波数の場合は『盗聴』と表示され、盗撮器から発する周波数の場合は『盗撮』と表示される。【００８０】上記モニター画面２２に表示される方向指示ランプの項は、検知した周波数のそれぞれの方向を知らせるための手段であり、検知周波数一覧表に表示されている番号の電波発信方向ライト１４−１〜１４−１６を点灯する事で周波数毎に検知した周波数の方向を使用者に知らせるものである。【００８１】上記モニター画面２２に表示される距離は、検知した電波の発信源から本検知器までの距離を周波数毎に表示したものである。【００８２】モニター画面２２に表示された検知周波数一覧表の内容を使用者が確認し更に詳細を確認したい電波の周波数を上スクロールボタン１５又は下スクロールボタン１６で現在ブリンクしている選択Ｎｏ．の位置を上下することによりデータを選択する。【００８３】上記でデータを選択後、決定ボタン１２を押下する事で累積データ出力システムＳ８が起動し使用者が選択した情報すなわち選択された選択Ｎｏ．に対する検知周波数、種類、方向指示ランプ、距離を入力指示記憶装置Ｓ７に記憶するとともに、選択された情報の１つである受信方向を示すデータが情報記憶装置Ｓ６から累積データ出力システムＳ８が読込み、フェーズドアレイアンテナＳ１の受信方向を制御する制御パラメータを更新し制御装置Ｓ３に送られ、前記更新された制御パラメータの内容で制御装置Ｓ３がフェーズドアレイアンテナＳ１に受信する電波の方向を設定しスタンバイ状態にし、受信機Ｓ２により電波の受信が開始され、受信機Ｓ２が受信した情報がオートスキャン装置Ｓ１１に出力される。オートスキャン装置Ｓ１１は前記受信器Ｓ２から出力された電波に対しチューニングを行い出力された電波を映像に変換し、変換された映像を映像出力装置Ｓ１２に出力する。【００８４】上記チューニング終了後、使用者が選択した周波数が盗聴器の発する周波数の場合に盗聴器が拾う音声を音声出力装置Ｓ１３で増幅させ音声をスピーカー口２１より出力し、盗撮器が発する周波数の場合は盗撮器が映し出す映像を映像出力装置Ｓ１２でモニター画面２２に映像を出力し使用者に知らせる。但し、チューニング機能は、近くの場所に仕掛けられている盗聴器・盗撮器ＳＳに対しても行える為、逆に本検知器を使っての盗聴又は盗撮を可能にしてしまう。そう言った悪用を防ぐ為に選択されたデータの距離が半径１０ｍ以下のデータを対象とする制限を持たせたものである。【００８５】上記処理で仕掛けられている盗聴器・盗撮器ＳＳの実体が確実になり、本検知器が示す周波数の方向と距離と盗聴音声又は盗撮映像で仕掛けられている場所を容易に探す事が可能となる。【００８６】また、前記処理で盗撮の周波数を選択した場合は前述のように盗撮映像がモニター画面２２に出力される。その為、モニター画面２２に表示されていた検知周波数一覧表が一旦、盗撮映像に切り替わり、使用者は選択した周波数の実体を確認後、更に違う周波数をチューニングしたい場合は一覧ボタン１７を押下すると再度、モニター画面２２に検知周波数一覧表が出力され周波数の選択が可能となる。【００８７】上記処理によって使用者側に伝える情報は、盗聴器・盗撮器ＳＳの存在の有無、検知した電波の検知周波数・種類・方向指示ランプによる方向・盗聴器・盗撮器ＳＳまでの距離・盗聴音声・盗撮映像をスピーカー口２１又はモニター画面２２に出力する。以上の情報により使用者が盗聴器・盗撮器ＳＳを容易に発見できる検知器である。【００８８】本発明の検知器は、盗聴器・盗撮器ＳＳの発見を容易にし、特に女性に対し盗聴器・盗撮器ＳＳの存在を「意識」してもらう為、女性でも持ち歩きできる化粧品のコンパクト形式を採用しかつシンプルなデザインになっており、一家に一台あれば、旅行先や公共施設等への持ち歩きも可能となり、簡単な操作で充実した性能を持ち安心感を与える事ができる検知器である。【００８９】以上の説明より、本発明は使用者に盗聴器・盗撮器ＳＳの存在有無の情報として対象周波数の検知周波数一覧表の表示で使用者に身近に設置されている盗聴器や盗撮器知らせる事で容易かつ確実に発見できる検知器を提供する。
【図面の簡単な説明】
【００９０】
【図１】  本発明の平面図である。
【図２】  本発明の底面図である。
【図３】  本発明の正面図である。
【図４】  本発明の背面図である。
【図５】  本発明の左側面図である。
【図６】  本発明のオープン図である。
【図７】  本発明の制御図である。
【図８】  本発明の検知周波数一覧の参考図である。
【符号の説明】
【００９１】〔本体機械図−図１〜図６〕
１        上ケース部カバー
２        左オープンローラー
３        上下固定ロール
４        右オープンローラー
５        下ケース部
６        スライド式電池カバー
７        上ケース部
８        オープン開口
９        電源ボタン
１０        検索ボタン
１１        撃退ボタン
１２        決定ボタン
１３−１    受信電波設定ボタン
１３−２    受信電波設定ボタン
１３−３    受信電波設定ボタン
１４−１    電波発信方向ライト
１４−２    電波発信方向ライト
１４−３    電波発信方向ライト
１４−４    電波発信方向ライト
１４−５    電波発信方向ライト
１４−６    電波発信方向ライト
１４−７    電波発信方向ライト
１４−８    電波発信方向ライト
１４−９    電波発信方向ライト
１４−１０  電波発信方向ライト
１４−１１  電波発信方向ライト
１４−１２  電波発信方向ライト
１４−１３  電波発信方向ライト
１４−１４  電波発信方向ライト
１４−１５  電波発信方向ライト
１４−１６  電波発信方向ライト
１５        上スクロールボタン
１６        下スクロールボタン
１７        一覧ボタン
１８        ＵＳＢ接続口
１９−１    盗聴表示ライト
１９−２    盗聴表示ライト
１９−３    盗聴表示ライト
１９−４    盗聴表示ライト
１９−５    盗聴表示ライト
２０−１    盗撮表示ライト
２０−２    盗撮表示ライト
２０−３    盗撮表示ライト
２０−４    盗撮表示ライト
２０−５    盗撮表示ライト
２１        スピーカー口
２２        モニター画面
〔制御図−図７〕
ＳＳ        盗聴器・盗撮器
Ｓ１        フェーズドアレイアンテナ
Ｓ２        受信器
Ｓ３        制御装置
Ｓ４        周波数データベース
Ｓ５        受信周波数累積システム
Ｓ６        情報記憶装置
Ｓ７        入力指示記憶装置
Ｓ８        累積データ出力システム
Ｓ９        盗聴盗撮識別装置
Ｓ１０      検知方向指示装置
Ｓ１１      オートスキャン装置
Ｓ１２      映像出力装置
Ｓ１３      音声出力装置
Ｓ１４      ＵＳＢ端子
【図１】
2010244497.tif 000003
【図２】
2010244497.tif 000004
【図３】
2010244497.tif 000005
【図４】
2010244497.tif 000006
【図５】
2010244497.tif 000007
【図６】
2010244497.tif 000008
【図７】
2010244497.tif 000009
【図８】
2010244497.tif 000010